(57)【要約】    水と、精油と、式（Ｉ）および式（ＩＩ）から選択される式を有するヒマシ油の誘導体と、式（ＩＩＩ）を有するエトキシ化フェノールと、陰イオン界面活性剤と、双性イオン界面活性剤とを含む、水性軽質液体洗剤配合物が提供される。水性軽質液体洗剤配合物を使用して物品を洗浄する方法も提供される。  【選択図】なし【特許請求の範囲】
【請求項１】
水性軽質液体洗剤配合物であって、水と、精油と、式Ｉおよび式ＩＩから選択される式を有するヒマシ油の誘導体であって、
【化１】
2021518446.tif 000010
式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基から選択され、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノールであって、
【化２】
2021518446.tif 000011
式中、Ｔが、平均５〜８である、エトキシ化フェノールと、陰イオン界面活性剤と、双性イオン界面活性剤と、を含む、水性軽質液体洗剤配合物。
【請求項２】
前記水性軽質液体洗剤配合物の重量に基づいて、０．０１〜１０重量％の有機溶媒をさらに含む、請求項１に記載の水性軽質液体洗剤配合物。
【請求項３】
前記陰イオン界面活性剤が、ラウリルエーテル硫酸ナトリウムである、請求項１に記載の水性軽質液体洗剤配合物。
【請求項４】
前記双性イオン界面活性剤が、アルキル置換アミンオキシドである、請求項１に記載の水性軽質液体洗剤配合物。
【請求項５】
前記双性イオン界面活性剤が、Ｃ１０−１４アルキルジメチルアミンオキシドである、請求項１に記載の水性軽質液体洗剤配合物。
【請求項６】
前記水性軽質液体洗剤配合物の重量に基づいて、０．１〜１０重量％のヒドロトロープをさらに含む、請求項１に記載の水性軽質液体洗剤配合物。
【請求項７】
前記精油が、柑橘系精油である、請求項１に記載の水性軽質液体洗剤配合物。
【請求項８】
前記精油が、オレンジ精油である、請求項１に記載の水性軽質液体洗剤配合物。
【請求項９】
前記水性洗浄配合物が、
前記水性軽質液体洗剤配合物の重量に基づいて、５０〜９７重量％の前記水と、
前記水性軽質液体洗剤配合物の重量に基づいて、０．０１〜５重量％の前記精油であって、前記精油が橘系精油である、精油と、
前記水性軽質液体洗剤配合物の重量に基づいて、１〜３重量％の、式Ｉおよび式ＩＩから選択される式を有するヒマシ油の前記誘導体の前記誘導体であって、式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々、−ＣＨ２ＣＨ２Ｏ−基であり、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、
前記水性軽質液体洗剤配合物の重量に基づいて、２．５〜７．５重量％の、式ＩＩＩを有する前記エトキシ化フェノールであって、式中、Ｔが、平均５．７５〜６．２５である、エトキシ化フェノールと、
前記水性軽質液体洗剤配合物の重量に基づいて、０．０１〜３０重量％の前記陰イオン界面活性剤であって、前記陰イオン界面活性剤が、ラウレス硫酸ナトリウムである、陰イオン界面活性剤と、
前記水性軽質液体洗剤配合物の重量に基づいて、１〜５重量％の前記双性イオン界面活性剤であって、前記双性イオン界面活性剤が、ラウリルジメチルアミンオキシドである、双性イオン界面活性剤と、を含有する、請求項８に記載の水性軽質液体洗剤配合物。
【請求項１０】
物品を手で洗浄する方法であって、
物品を提供することであって、前記物品が、食器、ガラス食器類、銀食器類、鍋、フライパン、および繊細な衣類のうちの少なくとも１つからなる群から選択される、提供することと、
請求項１に記載の水性軽質液体洗剤配合物を提供することと、
前記物品を前記水性軽質液体洗剤配合物に手で接触させることと、
前記水性軽質液体洗剤配合物を前記物品からすすぐことと、を含む、方法。
【発明の詳細な説明】
【技術分野】
【０００１】
本発明は、水性軽質液体洗剤配合物に関する。具体的には、本発明は、水と、精油と、式Ｉおよび式ＩＩから選択される式を有するヒマシ油の誘導体と、式ＩＩＩを有するエトキシル化フェノールと、陰イオン界面活性剤と、双性イオン界面活性剤とを含む、水性軽質液体洗剤配合物に関する。
【０００２】
水性洗浄組成物、例えば、床ケア配合物、硬質表面洗浄配合物、およびパーソナルケア配合物は、幅広く使用されている。例えば、床、カウンター、壁、テーブル、ならびに例えば、木、石、ラミネート、セラミック、およびプラスチック材料から作られた他の物などの、蓄積した汚れ、油、グリース、および他の汚染物質を定期的に洗浄することが必要な硬質表面の洗浄に使用される。
【０００３】
水性軽質液体洗剤配合物は、通常、手洗い用食器洗剤、シャンプー、クリーナー、および一部の洗濯用途に使用される。これらの水性軽質液体洗剤配合物は、典型的には、二次界面活性剤と共に、主要な起泡剤である陰イオン界面活性剤を含む。
【０００４】
水性軽質液体洗剤配合物は、通常、香料も含む。それにもかかわらず、ある特定の精油ベースの香料を組み込むことは、香りの観点からは望ましいものの、配合の観点からはしばしば難しいと判明していることがよくある。具体的には、精油ベースの香料は主に疎水性であるため、これらの分子を水性界面活性剤含有配合物に可溶化することは困難である。香料の可溶化が不十分であると、配合物が不安定になり、とりわけ、望ましくない相分離を引き起こす可能性がある。
【０００５】
Ｄｕｌｉｂａらは、米国特許第５，４２４，０１０号において軽質液体洗剤配合物を提供している。Ｄｕｌｉｂａらは、特に食器、ガラス、銀食器類、鍋、フライパン、および繊細な衣類を、周囲洗浄水温、ならびに温水または高温の洗浄水温で手洗浄するのに効果的な、かなり安定した発泡組成物である軽質液体手洗い用洗浄組成物を開示している。組成物は、約２０重量％〜約４０重量％の少なくとも１つの陰イオンまたは非イオン界面活性剤と、約０．５重量％〜約３．５重量％の３−メチル−３−メトキシ−ブタノールであるアルコールと、約２％〜約８％の少なくとも１つのヒドロトロープと、約５０％〜約７０％の水とを含む。組成物は、約６．０〜約８．０の範囲のｐＨおよび約１００ｃｐｓ〜約５００ｃｐｓの範囲の粘度を有する。
【０００６】
それにもかかわらず、依然として、効果的な水性軽質液体洗剤配合物が引き続き必要とされている。具体的には、洗浄作用、心地よい香料および配合安定性を提供する、効果的な水性の軽質手洗い用食器液体洗剤配合物が依然として必要とされている。
【０００７】
本発明は、水と、精油と、式Ｉおよび式ＩＩから選択される式を有するヒマシ油の誘導体であって、
【化１】
2021518446.tif 000002
式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基から選択され、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノールであって、
【化２】
2021518446.tif 000003
式中、Ｔが、平均５〜８である、エトキシ化フェノールと、陰イオン界面活性剤と、双性イオン性界面活性剤と、を含む、水性軽質液体洗剤配合物を提供する。
【０００８】
本発明は、水と、精油と、式Ｉおよび式ＩＩから選択される式を有するヒマシ油の誘導体であって、式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々、−ＣＨ２ＣＨ２Ｏ−基であり、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノールであって、式中、Ｔが、平均５〜８である、エトキシ化フェノールと、陰イオン界面活性剤と、双性イオン界面活性剤と、有機溶媒と、を含む、水性軽質液体洗剤配合物を提供する。
【０００９】
本発明は、水と、精油と、式Ｉおよび式ＩＩから選択される式を有するヒマシ油の誘導体であって、式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々、−ＣＨ２ＣＨ２Ｏ−基であり、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノールであって、式中、Ｔが、平均５〜８である、エトキシ化フェノールと、陰イオン界面活性剤と、双性イオン界面活性剤と、ヒドロトロープと、を含む、水性軽質液体洗剤配合物を提供する。
【００１０】
本発明は、水と、精油と、式Ｉおよび式ＩＩから選択される式を有するヒマシ油の誘導体であって、式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々、−ＣＨ２ＣＨ２Ｏ−基であり、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノールであって、Ｔが、平均５〜８である、エトキシ化フェノールと、陰イオン界面活性剤と、双性イオン界面活性剤と、抗菌薬とを含む、水性軽質液体洗剤配合物を提供する。
【００１１】
本発明は、物品を提供することであって、物品が、食器、ガラス食器類、銀食器類、鍋、フライパン、および繊細な衣類のうちの少なくとも１つからなる群から選択される、提供することと、本発明の水性軽質液体洗剤配合物を提供することと、物品を水性軽質液体洗剤配合物に手で接触させることと、水性軽質液体洗剤配合物を物品からすすぐことと、を含む、物品を手で洗浄する方法を提供する。
【発明を実施するための形態】
【００１２】
本発明の水性軽質液体洗剤配合物は、洗浄作用および心地よい香料を提供し、水性洗浄配合物は、高い香料の充填量で安定を保ち、香料は、他では安定的に組み込むことが難しい精油ベースの香料である。
【００１３】
特に指示がない限り、比率、百分率、部などは、重量単位である。組成物中の重量百分率（または重量％）は、乾燥重量のパーセントであり、すなわち、組成物中に存在し得る一切の水を排除したパーセントである。ポリマー中のモノマー単位の百分率は、固形重量のパーセントであり、すなわち、ポリマーエマルション中に存在する一切の水を排除したパーセントである。
【００１４】
本明細書で使用する場合、特に指示がない限り、用語の「重量平均分子量」および「Ｍｗ」は、ゲル浸透クロマトグラフィー（ＧＰＣ）およびポリエチレングリコール標準物などの従来の標準物を用いた従来の方式で測定された場合の重量平均分子量を指すように互換的に使用される。ＧＰＣ技法は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，８１−８４頁に詳細に考察されている。重量平均分子量は、本明細書においてダルトンの単位で報告される。
【００１５】
好ましくは、本発明の水性軽質液体洗剤配合物は、硬質表面洗浄配合物である。より好ましくは、本発明の水性軽質液体洗剤配合物は、手洗い用食器洗剤である。
【００１６】
好ましくは、本発明の水性軽質液体洗剤配合物は、水（水性軽質液体洗剤配合物の重量に基づいて、好ましくは、１０〜９９重量％（より好ましくは、２５〜９８重量％、最も好ましくは、５０〜９７重量％）の水）と、精油（水性軽質液体洗剤配合物の重量に基づいて、好ましくは、０．０１〜１０重量％（より好ましくは、０．０１〜５重量％）の精油）と、式Ｉおよび式ＩＩから選択される式を有するヒマシ油の誘導体（水性軽質液体洗剤配合物の重量に基づいて、好ましくは、０．０１〜２５重量％（より好ましくは、０．０５〜１０重量％、さらにより好ましくは、０．１〜５重量％、最も好ましくは、１〜３重量％）のヒマシ油の誘導体）であって、
【化３】
2021518446.tif 000004
式中、Ｒ１、Ｒ２、Ｒ３、Ｒ４、Ｒ５、Ｒ６、Ｒ７、Ｒ８、Ｒ９、Ｒ１０、Ｒ１１、およびＲ１２が各々独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基（好ましくは、−ＣＨ２ＣＨ２Ｏ−基および−ＣＨ２ＣＨ２ＣＨ２Ｏ−基、より好ましくは、−ＣＨ２ＣＨ２Ｏ−基）から選択され、式中、ａ、ｂ、ｃ、ｄ、ｅ、ｆ、ｇ、ｈ、ｉ、ｊ、ｋ、およびｍが各々独立して、０〜２５０の数であり、式中、ａ＋ｂ＋ｃ＋ｄ＋ｅ＋ｆの平均合計が、１〜２５０であり、式中、ｇ＋ｈ＋ｉ＋ｊ＋ｋ＋ｍの平均合計が、１〜２５０である、ヒマシ油の誘導体と、式ＩＩＩを有するエトキシ化フェノール（水性洗浄配合物の重量に基づいて、好ましくは、０．０１〜３０重量％（より好ましくは、０．１〜２０重量％、さらにより好ましくは、１〜１０重量％、最も好ましくは、２．５〜７．５重量％のエトキシ化フェノール）であって、
【化４】
2021518446.tif 000005
式中、Ｔが、平均５〜８（好ましくは、５．２５〜７．５、より好ましくは、５．５〜７．２５、最も好ましくは、５．７５〜６．２５）である、エトキシ化フェノールと、陰イオン界面活性剤（水性洗浄配合物の重量に基づいて、好ましくは、０．０１〜３５重量％（より好ましくは、１０〜３０重量％、最も好ましくは、１５〜２５重量％）の陰イオン界面活性剤）と、双性イオン界面活性剤（水性軽質液体洗剤配合物の重量に基づいて、好ましくは、０．０１〜１５重量％（より好ましくは、０．１〜１０重量％、最も好ましくは、１〜５重量％）の双性イオン界面活性剤）と、を含む。
【００１７】
好ましくは、本発明の水性軽質液体洗剤配合物は、水性軽質液体洗剤配合物の重量に基づいて、１０〜９９重量％（より好ましくは、２５〜９８重量％、最も好ましくは、５０〜９７重量％）の水を含む。好ましくは、本発明の水性軽質液体洗剤配合物は、水性軽質液体洗剤配合物の重量に基づいて、１０〜９９重量％（より好ましくは、２５〜９８重量％、最も好ましくは、５０〜９７重量％）の水を含み、水は、蒸留水、脱イオン水、および工業用軟水のうちの少なくとも１つである。より好ましくは、本発明の水性軽質液体洗剤配合物は、水性軽質液体洗剤配合物の重量に基づいて、１０〜９９重量％（より好ましくは、２５〜９８重量％、最も好ましくは、５０〜９７重量％）の水を含み、水は、蒸留および脱イオン化される。最も好ましくは、本発明の水性軽質液体洗剤配合物は、水性軽質液体洗剤配合物の重量に基づいて、１０〜９９重量％（より好ましくは、２５〜９８重量％、最も好ましくは、５０〜９７重量％）の水を含み、水は、水性軽質液体洗剤配合物への望ましくない金属イオンの導入を回避するために、蒸留、脱イオン化され、工業用軟水である。
【００１８】
好ましくは、本発明の水性軽質液体洗剤配合物は、水性軽質液体洗剤配合物の重量に基づいて、０．０１〜１０重量％（好ましくは、０．１〜５重量％、より好ましくは、０．２５〜３重量％）の精油を含む。好ましくは、本発明の水性軽質液体洗剤配合物は、水性軽質液体洗剤配合物の重量に基づいて、０．０１〜１０重量％（好ましくは、０．１〜５重量％、より好ましくは、０．２５〜３重量％）の精油を含み、精油は、柑橘系精油を含む。より好ましくは、本発明の水性軽質液体洗剤配合物は、水性軽質液体洗剤配合物の重量に基づいて、０．０１〜１０重量％（好ましくは、０．１〜５重量％、より好ましくは、０．２５〜３重量％）の精油を含み、精油は、オレンジ精油（例えば、スイートオレンジ精油、ブラッドオレンジ精油、ビターオレンジ精油）、レモン精油、ライム精油、グレープフルーツ精油、ベルガモット精油、マンダリン精油、タンジェリン精油、プチグレン精油、ネロリ精油、柚子精油、およびそれらの混合物からなる群から選択される柑橘系精油を含む。さらにより好ましくは、本発明の水性軽質液体洗剤配合物は、水性軽質液体洗剤配合物の重量に基づいて、０．０１〜１０重量％（好ましくは、０．１〜５重量％、より好ましくは、０．２５〜３重量％）の精油を含み、精油は、オレンジ精油を含む。最も好ましくは、本発明の水性軽質液体洗剤配合物は、水性軽質液体洗剤配合物の重量に基づいて、０．０１〜１０重量％（好ましくは、０．１〜５重量％、より好ましくは、０．２５〜３重量％）の精油を含み、精油は、オレンジ精油である。
【００１９】
好ましくは、本発明の水性軽質液体洗剤配合物は、水性軽質液体洗剤配合物の重量に基づいて、０．０１〜２５重量％（より好ましくは、０．０５〜１０重量％、さらにより好ましくは、０．１〜５重量％、最も好ましくは、１〜３重量％）の、式Ｉおよび式ＩＩから選択される式を有するヒマシ油の誘導体を含み、
【化５】
2021518446.tif 000006
式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は各々独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ［１｝−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基（好ましくは、−ＣＨ２ＣＨ２Ｏ−基および−ＣＨ２ＣＨ２ＣＨ２Ｏ−基、より好ましくは、−ＣＨ２ＣＨ２Ｏ−基）から選択され、式中、ａ、ｂ、ｃ、ｄ、ｅ、ｆ、ｇ、ｈ、ｉ、ｊ、ｋ、およびｍは各々独立して、０〜２５０の数であり、式中、ａ＋ｂ＋ｃ＋ｄ＋ｅ＋ｆの平均合計は、１〜２５０（好ましくは、５〜２００、より好ましくは、１０〜６０、最も好ましくは、１５〜３０）であり、式中、ｇ＋ｈ＋ｉ＋ｊ＋ｋ＋ｍの平均合計は、１〜２５０（好ましくは、５〜２００、より好ましくは、１０〜６０、最も好ましくは、１５〜３０）である。
【００２０】
好ましくは、本発明の水性軽質液体洗剤配合物は、水性軽質液体洗剤配合物の重量に基づいて、０．０１〜２５重量％（より好ましくは、０．０５〜１０重量％、さらにより好ましくは、０．１〜５重量％、最も好ましくは、１〜３重量％）の、式Ｉおよび式ＩＩから選択される式を有するヒマシ油の誘導体を含み、ヒマシ油の誘導体は、水素化ヒマシ油のポリエチレングリコール誘導体である。より好ましくは、本発明の水性軽質液体洗剤配合物は、水性軽質液体洗剤配合物の重量に基づいて、０．０１〜２５重量％（より好ましくは、０．０５〜１０重量％、さらにより好ましくは、０．１〜５重量％、最も好ましくは、１〜３重量％）の、式Ｉおよび式ＩＩから選択される式を有するヒマシ油の誘導体を含み、ヒマシ油の誘導体は、ＰＥＧ−５水素化ヒマシ油、ＰＥＧ−５ヒマシ油、ＰＥＧ−７水素化ヒマシ油、ＰＥＧ−７ヒマシ油、ＰＥＧ−１６水素化ヒマシ油、ＰＥＧ−１６ヒマシ油、ＰＥＧ−２５水素化ヒマシ油、ＰＥＧ−２５ヒマシ油、ＰＥＧ−３０水素化ヒマシ油、ＰＥＧ−３０ヒマシ油、ＰＥＧ−４０水素化ヒマシ油、ＰＥＧ−４０ヒマシ油、ＰＥＧ−６０水素化ヒマシ油、ＰＥＧ−６０ヒマシ油、ＰＥＧ−１００水素化ヒマシ油、ＰＥＧ−１００ヒマシ油、ＰＥＧ−２００水素化ヒマシ油、ＰＥＧ−２００ヒマシ油、およびそれらのブレンドからなる群から選択される。さらにより好ましくは、本発明の水性軽質液体洗剤配合物は、水性軽質液体洗剤配合物の重量に基づいて、０．０１〜２５重量％（より好ましくは、０．０５〜１０重量％、さらにより好ましくは、０．１〜５重量％、最も好ましくは、１〜３重量％）の、式Ｉおよび式ＩＩから選択される式を有するヒマシ油の誘導体を含み、ヒマシ油の誘導体は、ＰＥＧ−２０ヒマシ油およびＰＥＧ−２０ヒマシ油を含むブレンドからなる群から選択される、水素化ヒマシ油のポリエチレングリコール誘導体である。最も好ましくは、本発明の水性軽質液体洗剤配合物は、水性軽質液体洗剤配合物の重量に基づいて、０．０１〜２５重量％（より好ましくは、０．０５〜１０重量％、さらにより好ましくは、０．１〜５重量％、最も好ましくは、１〜３重量％）の、式Ｉおよび式ＩＩから選択される式を有するヒマシ油の誘導体を含み、ヒマシ油の誘導体は、ＰＥＧ−２０ヒマシ油である。
【００２１】
好ましくは、本発明の水性軽質液体洗剤配合物は、水性軽質液体洗剤配合物の重量に基づいて、０．０１〜３０重量％（好ましくは、０．１〜２０重量％、より好ましくは、１〜１０重量％、最も好ましくは、２．５〜７．５重量％）の、式ＩＩＩを有するエトキシ化フェノールを含み、
【化６】
2021518446.tif 000007
式中、Ｔは、平均５〜８である。より好ましくは、本発明の水性軽質液体洗剤配合物は、水性軽質液体洗剤配合物の重量に基づいて、０．０１〜３０重量％（好ましくは、０．１〜２０重量％、より好ましくは、１〜１０重量％、最も好ましくは、２．５〜７．５重量％）の、式ＩＩＩを有するエトキシ化フェノールを含み、Ｔは、平均５．２５〜７．５である。またさらにより好ましくは、本発明の水性軽質液体洗剤配合物は、水性軽質液体洗剤配合物の重量に基づいて、０．０１〜３０重量％（好ましくは、０．１〜２０重量％、より好ましくは、１〜１０重量％、最も好ましくは、２．５〜７．５重量％）の、式ＩＩＩを有するエトキシ化フェノールを含み、Ｔは、平均５．５〜７．２５である。最も好ましくは、本発明の水性軽質液体洗剤配合物は、水性軽質液体洗剤配合物の重量に基づいて、０．０１〜３０重量％（好ましくは、０．１〜２０重量％、より好ましくは、１〜１０重量％、最も好ましくは、２．５〜７．５重量％）の、式ＩＩＩを有するエトキシ化フェノールを含み、Ｔは、平均５．７５〜６．２５である。
【００２２】
好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含む。より好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含み、陰イオン界面活性剤は、アルキルスルホン酸、アルキル硫酸塩、アルキルスルホン酸塩、アルキルベンゼンスルホン酸、アルキルベンゼン硫酸塩、アルキルベンゼンスルホン酸塩、アルキルエーテルスルホン酸、アルキルエーテル硫酸塩、アルキルエーテルスルホン酸塩、アルコキシル化アルコール、パラフィンスルホン酸、パラフィン硫酸塩、パラフィンスルホン酸塩、オレフィンスルホン酸、オレフィン硫酸塩、オレフィンスルホン酸塩、アルファ−スルホカルボン酸塩、アルファ−スルホカルボン酸塩のエステル、アルキルグリセリルエーテルスルホン酸、アルキルグリセリルエーテル硫酸塩、アルキルグリセリルエーテルスルホン酸塩、脂肪酸の硫酸塩、脂肪酸のスルホン酸塩、脂肪酸エステルのスルホン酸塩、アルキルフェノール、アルキルフェノールポリエトキシエーテル硫酸塩、２−アクリルオキシ−アルカン−１−スルホン酸、２−アクリルオキシ−アルカン−１−スルホン酸塩、ベータ−アルキルオキシアルカンスルホン酸、ベータ−アルキルオキシアルカンスルホン酸塩、アミンオキシド、それらの塩、およびそれらの混合物からなる群から選択される。さらにより好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含み、陰イオン界面活性剤は、Ｃ８−２０アルキルベンゼンスルホン酸、Ｃ８−２０アルキルベンゼン硫酸塩、Ｃ８−２０アルキルベンゼンスルホン酸塩、Ｃ８−２０アルキルエーテルスルホン酸、Ｃ８−２０アルキルエーテル硫酸塩、Ｃ８−２０アルキルエーテルスルホン酸塩、パラフィンスルホン酸、パラフィン硫酸塩、パラフィンスルホン酸塩、アルファ−オレフィンスルホン酸、アルファ−オレフィン硫酸塩、アルファ−オレフィンスルホン酸塩、アルコキシル化アルコール、Ｃ８−２０アルキルフェノール、アミンオキシド、脂肪酸のスルホン酸塩、脂肪酸エステルのスルホン酸塩、それらの塩、およびそれらの混合物からなる群から選択される。またさらにより好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含み、陰イオン界面活性剤は、Ｃ１１−１３アルキルベンゼンスルホン酸、Ｃ１１−１３アルキルベンゼンスルホン酸塩、Ｃ１１−１３アルキルポリエトキシスルホン酸、Ｃ１１−１３アルキルポリエトキシ硫酸塩、Ｃ１１−１３アルキルポリエトキシスルホン酸塩、それらの塩、およびそれらの混合物からなる群から選択される。さらにより好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含み、陰イオン界面活性剤は、Ｃ１０−１６アルキルベンゼンスルホン酸、Ｃ１０−１６アルキルベンゼンスルホン酸塩、Ｃ１０−１６アルキルポリエトキシスルホン酸、Ｃ１０−１６アルキルポリエトキシ硫酸塩、Ｃ１０−１６アルキルポリエトキシスルホン酸塩、それらの塩、およびそれらの混合物からなる群から選択される。最も好ましくは、本発明の水性軽質液体洗剤配合物は、水性軽質液体洗剤配合物の重量に基づいて、（好ましくは、０．０１〜３５重量％（より好ましくは、１０〜３０重量％、最も好ましくは、１５〜２５重量％）の陰イオン界面活性剤を含み、陰イオン界面活性剤は、ラウレス硫酸ナトリウム（ＳＬＥＳ）を含む（好ましくは、ラウレス硫酸ナトリウムである）。
【００２３】
好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含む。好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含み、双性イオン界面活性剤は、ベタイン、アミンオキシド、アルキルアミドアルキルアミン、アルキル置換アミンオキシド、アシル化アミノ酸、脂肪族第４級アンモニウム化合物の誘導体、およびそれらの混合物からなる群から選択される。より好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含み、双性イオン界面活性剤は、８〜１８個の炭素原子を有する長鎖基を含むアミンオキシドを含む。さらにより好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含み、双性イオン界面活性剤は、Ｃ８−１８アルキルジメチルアミンオキシドを含む。またさらにより好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含み、双性イオン界面活性剤は、Ｃ１０−１４アルキルジメチルアミンオキシドを含む。最も好ましくは、本発明の水性軽質液体洗剤配合物は、水性軽質液体洗剤配合物の重量に基づいて、０．０１〜１５重量％（より好ましくは、０．１〜１０重量％、最も好ましくは、１〜５重量％）の双性イオン界面活性剤を含み、双性イオン界面活性剤は、ラウリルジメチルアミンオキシドを含む（好ましくは、ラウリルジメチルアミンオキシドである）。
【００２４】
好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含む。好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含み、有機溶媒は、水と混和性である。より好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含み、有機溶媒は、脂肪族アルコール（例えば、Ｃ１−６アルカノール、Ｃ１−６アルキルジオール）、モノアルキレングリコールエーテル（例えば、エチレングリコールプロピルエーテル、エチレングリコールｎ−ブチルエーテル、エチレングリコールｔ−ブチルエーテル、プロピレングリコールプロピルエーテル、プロピレングリコールｎ−ブチルエーテル、プロピレングリコールｔ−ブチルエーテル、プロピレングリコールメチルエーテルアセテート、プロピレングリコールジアセテート）、ポリアルキレングリコールエーテル（例えば、ジエチレングリコールエチルエーテル、ジエチレングリコールプロピルエーテル、ジエチレングリコールｎ−ブチルエーテル、ジエチレングリコールｔ−ブチルエーテル、ジエチレングリコールキシルエーテル、ジプロピレングリコールメチルエーテル、ジプロピレングリコールエチルエーテル、ジプロピレングリコールプロピルエーテル、ジプロピレングリコールｎ−ブチルエーテル、ジプロピレングリコールｔ−ブチルエーテル、ジプロピレングリコールフェニルエーテル、ジプロピレングリコールメチルエーテルアセテート、トリプロピレングリコールメチルエーテル、トリプロピレングリコールエチルエーテル、トリプロピレングリコールプロピルエーテル、トリプロピレングリコールｎ−ブチルエーテル、トリプロピレングリコールｔ−ブチルエーテル）、およびそれらの混合物からなる群から選択される。さらにより好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含み、有機溶媒は、イソプロパノール、エタノール、２−（２−ブトキシエトキシ）エタノール、エチレングリコールブチルエーテル、プロピレングリコールメチルエーテル、プロピレングリコールプロピルエーテル、プロピレングリコールｔ−ブチルエーテル、ジプロピレングリコールメチルエーテル、ジプロピレングリコールプロピルエーテル、ジプロピレングリコールｎ−ブチルエーテル、およびそれらの混合物からなる群から選択される。またより好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含み、有機溶媒は、エタノールを含む。最も好ましくは、本発明の水性軽質液体洗剤配合物は、水性軽質液体洗剤配合物の重量に基づいて、０〜１０重量％（好ましくは、０．０１〜１０重量％、より好ましくは、１〜７．５重量％、最も好ましくは、３〜５重量％）の有機溶媒をさらに含み、有機溶媒は、エタノールである。
【００２５】
好ましくは、本発明の水性軽質液体洗剤配合物は、水性軽質液体洗剤配合物の重量に基づいて、０〜１０重量％（好ましくは、０．１〜１０重量％、より好ましくは、０．５〜７．５重量％、最も好ましくは、１〜５重量％）のヒドロトロープをさらに含む。より好ましくは、本発明の水性軽質液体洗剤配合物は、水性軽質液体洗剤配合物の重量に基づいて、０〜１０重量％（好ましくは、０．１〜１０重量％、より好ましくは、０．５〜７．５重量％、最も好ましくは、１〜５重量％）のヒドロトロープをさらに含み、ヒドロトロープは、尿素、モノエタノールアミン、ジエタノールアミン、トリエタノールアミン、ならびにキシレンスルホン酸、トルエンスルホン酸、エチルベンゼンスルホン酸、およびクメンスルホン酸のカルシウム、ナトリウム、カリウム、アンモニウムおよびアルカノールアンモニウム塩、ならびにそれらの混合物からなる群から選択される。さらにより好ましくは、本発明の水性軽質液体洗剤配合物は、水性軽質液体洗剤配合物の重量に基づいて、０〜１０重量％（好ましくは、０．１〜１０重量％、より好ましくは、０．５〜７．５重量％、最も好ましくは、１〜５重量％）のヒドロトロープをさらに含み、ヒドロトロープは、トルエンスルホン酸ナトリウム、トルエンスルホン酸カリウム塩、キシレンスルホン酸ナトリウム、キシレンスルホン酸アンモニウム、キシレンスルホン酸カリウム、キシレンスルホン酸カルシウム、クメンスルホン酸ナトリウム、クメンスルホン酸アンモニウム、およびそれらの混合物からなる群から選択される。またさらにより好ましくは、本発明の水性軽質液体洗剤配合物は、水性軽質液体洗剤配合物の重量に基づいて、０〜１０重量％（好ましくは、０．１〜１０重量％、より好ましくは、０．５〜７．５重量％、最も好ましくは、１〜５重量％）のヒドロトロープをさらに含み、ヒドロトロープは、キシレンスルホン酸ナトリウムを含む。最も好ましくは、本発明の水性軽質液体洗剤配合物は、水性軽質液体洗剤配合物の重量に基づいて、０〜１０重量％（好ましくは、０．１〜１０重量％、より好ましくは、０．５〜７．５重量％、最も好ましくは、１〜５重量％）のヒドロトロープをさらに含み、ヒドロトロープは、キシレンスルホン酸ナトリウムである。
【００２６】
好ましくは、本発明の水性軽質液体洗剤配合物は、添加剤をさらに含む。好ましくは、本発明の水性軽質液体洗剤配合物は、塩、ビルダー、酵素、腐食防止剤、酸、漂白剤、研磨剤、抗菌剤、キレート剤、追加の界面活性剤、ｐＨ調整剤、緩衝剤、およびそれらの混合物からなる群から選択される添加剤をさらに含む。
【００２７】
好ましくは、本発明の物品を手で洗浄する方法は、物品を提供することであって、物品が、食器、ガラス食器類、銀食器類、鍋、フライパン、および繊細な衣類のうちの少なくとも１つからなる群から選択される（好ましくは、物品が、食器、ガラス食器類、銀食器類、鍋、およびフライパンのうちの少なくとも１つからなる群から選択され、より好ましくは、物品が、食器、ガラス食器類、および銀食器類のうちの少なくとも１つからなる群から選択される）、提供することと、本発明の水性軽質液体洗剤配合物を提供することと、物品を水性軽質液体洗剤配合物に手で接触させることと、水性軽質液体洗剤配合物を物品からすすぐことと、を含む。
【００２８】
本発明のいくつかの実施形態をこれより以下の実施例において詳細に説明する。
【００２９】
比較実施例Ｃ１〜Ｃ１２および実施例１〜４
水性軽質液体洗剤配合物
比較実施例Ｃ１〜Ｃ１２および実施例１〜４の水性軽質液体洗剤配合物を、表１に記載の重量比率で成分を一緒に混合することによって調製した。比較実施例Ｃ１〜Ｃ１２および実施例１〜４の水性軽質液体洗剤配合物を、相分離から配合物安定性について観察した。これらの観察結果について表２に報告する。
【表１】
2021518446.tif 000008
【表２】
2021518446.tif 000009
【国際調査報告】
2021518446.tif 000012
2021518446.tif 000013